(57)【要約】【課題】装着者の動作のし易さを確保しつつ、特に関節部分に対する外部からの衝撃を緩和する運動用衣類を提供する。【解決手段】ラグビー用衣類は、衣類本体２０と、衣類本体２０に取付けられ、装着者の関節部を覆うように関節部の両側に設けられた保護部５１，５２とを備え、保護部５１と第２保護部５２とは互いに対し可動であり、保護部５１と保護部５２との一部同士が重なるように配置される。【選択図】図３
2008308800.tif 000002
【特許請求の範囲】
【請求項１】
衣類本体と、
前記衣類本体に取付けられ、装着者の第１骨部と第２骨部とを互いに可動に接続する関節部を覆うように設けられ、前記第１骨部を覆うように設けられた第１保護部および前記第２骨部を覆うように設けられた第２保護部とを備え、
前記第１保護部と前記第２保護部とは互いに対し可動であり、前記第１保護部と前記第２保護部との一部同士が重なるように配置された、運動用衣類。
【請求項２】
前記第２保護部は、前記衣類本体と協働して、前記第１保護部の少なくとも一部を受け入れ可能な袋部を規定する、請求項１に記載の運動用衣類。
【請求項３】
前記第１保護部は、前記第２保護部と重なる先端部と、該先端部に対して前記第２保護部と反対側に位置する基部とを含み、
前記先端部は、前記基部よりも薄く形成された、請求項１または請求項２に記載の運動用衣類。
【請求項４】
前記第１保護部と前記第２保護部との重なり部は、前記関節部近傍上に位置する、請求項１から請求項３のいずれかに記載の運動用衣類。
【請求項５】
前記関節部は、肩関節とされ、
前記第１保護部は、鎖骨より腹部側から肩甲骨に達するように設けられ、
前記第２保護部は、上腕骨の少なくとも一部を覆うように配置された、請求項１から請求項４のいずれかに記載の運動用衣類。
【請求項６】
衣類本体と、
前記衣類本体に取付けられ、装着者の第１骨部と第２骨部とを互いに可動に接続する関節部を覆うように設けられた関節保護部と、前記第１骨部を覆うように設けられた第１保護部と前記第２骨部を覆うように設けられた第２保護部とを備え、
前記第１保護部と前記関節保護部とは互いに対し可動であり、前記第１保護部と前記関節保護部との一部同士が重なるように配置され、
前記第２保護部と前記関節保護部とは互いに対し可動であり、前記第２保護部と前記関節保護部との一部同士が重なるように配置される、運動用衣類。
【発明の詳細な説明】
【技術分野】
【０００１】
本発明は、運動用衣類に関し、外部からの衝撃から装着者を保護する運動用衣類に関する。
【背景技術】
【０００２】
従来からラグビーや野球等の運動において、外部の衝撃から装着者を保護する運動用衣類が各種提案されている。
【０００３】
たとえば、実用新案登録第３１２０２５４号公報に記載された運動用プロテクタは、衣服の胸部から腹部にかけた所定の部位の表面または裏面に展着され、軟質の衝撃吸収材からなる板状部材を備えている。
【特許文献１】実用新案登録第３１２０２５４号公報
【発明の開示】
【発明が解決しようとする課題】
【０００４】
しかし、上記実用新案登録第３１２０２５４号公報に記載された運動用プロテクタにおいては、関節部分における保護を図ることができない。そして、仮に、衝撃吸収材を関節部分を覆うように配置したとすると、装着者が当該関節部分を屈曲したり、伸張させたときに衝撃吸収材を変形させる必要が生じ、衝撃吸収材が装着者の動作を妨げるようになる。
【０００５】
本発明は、上記のような課題に鑑みてなされたものであって、その目的は、装着者の動作のし易さを確保しつつ、特に関節部分に対する外部からの衝撃を緩和する運動用衣類を提供することである。
【課題を解決するための手段】
【０００６】
本発明に係る運動用衣類は、１つの局面では、衣類本体と、衣類本体に取付けられ、装着者の第１骨部と第２骨部とを互いに可動に接続する関節部を覆うように設けられ、第１骨部を覆うように設けられた第１保護部および第２骨部を覆うように設けられた第２保護部とを備える。そして、上記第１保護部と第２保護部とは互いに対し可動であり、第１保護部と第２保護部との一部同士が重なるように配置される。
【０００７】
好ましくは、上記第２保護部は、衣類本体と協働して、第１保護部の少なくとも一部を受け入れ可能な袋部を規定する。好ましくは、第１保護部は、第２保護部と重なる先端部と、該先端部に対して第２保護部と反対側に位置する基部とを含み、先端部は、基部よりも薄く形成される。好ましくは、上記第１保護部と第２保護部との重なり部は、関節部近傍上に位置する。好ましくは、上記関節部は、肩関節とされ、第１保護部は、鎖骨より腹部側から肩甲骨に達するように設けられ、第２保護部は、上腕骨の少なくとも一部を覆うように配置される。本発明に係る運動用衣類は、他の局面では、衣類本体と、衣類本体に取付けられ、装着者の第１骨部と第２骨部とを互いに可動に接続する関節部を覆うように設けられた関節保護部と、第１骨部を覆うように設けられた第１保護部と第２骨部を覆うように設けられた第２保護部とを備える。そして、第１保護部と関節護部とは互いに対し可動であり、第１保護部と関節保護部との一部同士が重なるように配置され、第２保護部と関節保護部とは互いに対し可動であり、第２保護部と関節保護部との一部同士が重なるように配置される。
【発明の効果】
【０００８】
本発明に係る運動用衣類によれば、装着者の動作の妨げとなることが抑制され、さらに、関節部分に対する外部からの衝撃を緩和することができる。
【発明を実施するための最良の形態】
【０００９】
本実施の形態に係る運動用衣類について、図１から図１２を用いて説明する。なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００１０】
（実施の形態１）
図１から図９を用いて、本発明の実施の形態１に係るラグビー用衣類（運動用衣類）について説明する。図１は、本発明の実施の形態１に係るラグビー用衣類１０の正面図であり、図２は、本発明の実施の形態１に係るラグビー用衣類１０の背面図である。
【００１１】
この図１および図２に示すように、ラグビー用衣類１０は、伸縮可能な衣類本体２０と、この衣類本体２０の表面に設けられ、装着者の体の形状に沿って変形可能な保護部５０とを備えている。
【００１２】
保護部５０は、装着者の肩部およびその近傍に位置する保護部５１，５２，５３，５４と、装着者の腹部の鳩尾およびその周囲に位置する保護部５５と、両脇腹を覆う保護部５６，５７と、装着者の背中に位置する保護部５８とを備えている。
【００１３】
図３は、保護部５１，５２の詳細を示す拡大図であり、図４は、装着者の肩関節２０３およびその近傍における骨格を示す骨格図である。さらに、図５は、装着者の肩関節２０３近傍における筋肉を示す人体図である。
【００１４】
図３において、保護部（第２保護部）５１と保護部（第１保護部）５２とは、図４に示す肩関節２０３の両側に設けられている。そして、各保護部５１と保護部５２とは、互いに対して可動に設けられており、保護部５１と保護部５２との各先端部６１，７１は互いに重なるように設けられている。
【００１５】
このため、保護部５１および保護部５２によって、肩関節２０３およびその近傍は覆われており、外部の衝撃から保護されている。そして、装着者が肩関節２０３を動かし、たとえば、保護部５１と保護部５２とが近接するように変位したとしても、保護部５１と保護部５２との重なり部分が大きくなるように、保護部５１と保護部５２とが互いに相対変位する。
【００１６】
このように、装着者が肩関節２０３を動かしたとしても、保護部５１，５２同士が衝突することを抑制することができ、肩関節２０３の動きを保護部５１，５２が妨げることが抑制されている。
【００１７】
保護部５２は、図４に示す肩関節２０３を介して上腕骨２０４に対して可動とされた鎖骨２０１および肩甲骨２０２を覆うと共に、肩関節２０３に達するように設けられている。
【００１８】
そして、保護部５１は、鎖骨２０１や肩甲骨２０２などに対して肩関節２０３を介して接続され、鎖骨２０１や肩甲骨２０２に対して可動とされた上腕骨２０４の上端部近傍から図５に示す三角筋３０１の下端部近傍が位置する部分にまで延びている。このため、保護部５１によって、上腕骨２０４を保護することができると共に、保護部５２によって、鎖骨２０１や肩甲骨２０２を保護することができる。
【００１９】
図６は、保護部５１の斜視図であり、図７は、図３に示す状態から装着者が腕を挙げたときの保護部５１，５２の状態を示す拡大図である。
【００２０】
図６に示すように、保護部５１の周縁部のうち、保護部５２と対向する部分は、衣類本体２０に縫着されず、保護部５１と衣類本体２０とによって、保護部５２の少なくとも一部を受け入れ可能な袋部１００が規定されている。このように、保護部５１の周縁部のうち、保護部５２と対向する部分以外の部分を衣服本体２０に縫着することで、開口部を有する袋部が規定される。
【００２１】
ここで、図３は、図７に示す状態よりも装着者の腕は下がった状態とされている。この図３に示すように、装着者が腕を下げた場合においても、保護部５１の先端部６１と、保護部５２の先端部７１とが互いに肩関節２０３上またはその近傍上において重なっており、肩関節２０３の保護が図られている。
【００２２】
そして、図７に示すように、装着者が図３に示した状態よりも腕を挙げた場合には、保護部５１が保護部５２に向けてさらに近接する。ここで、保護部５１と保護部５２とが、保護部５１が保護する上腕骨と、保護部５２が保護する鎖骨および肩甲骨との配列方向に並んでおり、この配列方向に延びる袋部１００内に保護部５２を挿入可能とされている。このため、保護部５２の先端部７１が袋部１００内に入り込むことで、保護部５２と保護部５１とが衝突することが抑制されている。これにより、装着者が腕を挙げる際に、保護部５１および保護部５２が腕を挙げる動作を阻害することが抑制されている。
【００２３】
さらに、腕を挙げた状態においても、保護部５１と保護部５２との重なり部分が肩関節２０３上に位置しており、装着者の肩関節の２０３の保護が図られている。
【００２４】
図８は、保護部５１の内部構造を示す平面図であり、図９は、保護部５２の内部構造を示す平面図である。
【００２５】
図８において、保護部５１は、衣類本体２０と同質材料から形成された外皮部６０と、この外皮部６０に覆われ、縫着部６３にて外皮部６０に縫着された衝撃吸収部材１５０とを備えている。この保護部５１は、袋部の開口部が位置する部分以外の外周縁部は、図７に示す縫着部６２にて、衣類本体２０に縫着されている。衝撃吸収部材１５０としては、ラバー、ＥＶＡ（発泡材）、ポリエチレン、ウレタン等が採用される。このため、保護部５１は、外部から衝撃力が加えられたとしても、装着者に伝達される衝撃力を低減することができ、装着者を保護することができる。
【００２６】
この衝撃吸収部材１５０は、厚肉衝撃吸収部材１５２と、この厚肉衝撃吸収部材１５２よりも薄い薄肉衝撃吸収部材１５１とを備えている。なお、たとえば、薄肉衝撃吸収部材１５１は、厚肉衝撃吸収部材１５２の厚みの半分の厚みとされている。
【００２７】
ここで、厚肉衝撃吸収部材１５２は、保護部５１の中央部に位置しており、薄肉衝撃吸収部材１５１は、この厚肉衝撃吸収部材１５２の周囲に位置している。
【００２８】
保護部５２は、衣類本体２０と同質の材料から形成された外皮部７０と、この外皮部７０に覆われて、図７に示す縫着部７２にて外皮部７０に縫着された衝撃吸収部材１６０とを備えている。この保護部５２の外周縁部の全周は、衣類本体２０に縫着されている。なお、本実施の形態１においては、各保護部５１〜５８は、衣類本体２０に縫着されているが、衣類本体２０に取付けられておればよく、着脱可能とされてもよい。
【００２９】
衝撃吸収部材１６０は、保護部５２の中央部に位置する厚肉衝撃吸収部材１６２と、厚肉衝撃吸収部材１６２の周囲に設けられた薄肉衝撃吸収部材１６１とを備えている。
【００３０】
そして、保護部５２のうち、袋部１００内に挿入され、保護部５１の先端部６１と重なる先端部７１は、この先端部７１に対して、保護部５１から離れる方向に隣り合う部分の厚さよりも薄く形成されている。すなわち、図７において、保護部５２は、先端部７１と、この先端部７１に対して、保護部５１と反対側に位置する基部７７とを備えており、先端部７１は、基部７７より薄く形成されている。
【００３１】
このため、先端部７１が袋部１００内に入り込む際に入り込み易く、さらに、腕の動作を阻害することが抑制されている。
【００３２】
ここで、先端部７１の外周縁部は、保護部５１側に向けて幅が小さくなるように凸曲線状に湾曲している。図３において、装着者が腕を肩から下げた状態において、先端部７１の頂点部から裾部に向かうにつれて、保護部５１と保護部５２との間が離れて、保護部５１と保護部５２との間に隙間９０が規定される。このように、保護部５２の先端部７１の裾部が保護部５１から離れ、隙間９０が規定されているため、保護部５２に向けて保護部５１が近接するときに、保護部５２と保護部５１とが衝突することが抑制されている。このため、装着者が腕を、上方に向けて挙げる際や、腹部前方側に向けて伸ばす際にも、保護部５２と保護部５１との衝突を抑制することができ、装着者の腕の動きを妨げることが抑制されている。
【００３３】
そして、厚肉衝撃吸収部材１５２の周縁部のうち、先端部６１側の辺部６４は、先端部７１の形状に沿って、幅方向中央部が凹むように湾曲している。このため、保護部５２の先端部７１が袋部１００内に挿入された際に、保護部５１と保護部５２との重なり部分の厚みと、他の部分の厚みとに差が生じることを抑制することができ、装着者の肩関節２０３およびその周囲を均等に保護することができる。このように、保護部５１は、先端部６１と、この先端部６１に対して、保護部５２と反対側に位置する基部６７とを備え、先端部６１は、基部６７よりも薄く形成されている。
【００３４】
袋部１００は、保護部５１が保護する上腕骨と、保護部５２が保護する肩甲骨および鎖骨との配列方向に延びており、この袋部１００の延在方向の奥行きは、保護部５２の先端部７１の長さよりも長尺なものとされている。
【００３５】
このため、袋部１００内に、他の衝撃吸収部材を挿入することができ、たとえば、練習時等における装着者の肩関節近傍における保護の向上を図ることができる。
【００３６】
なお、これら保護部５１，５２は、装着者の右肩関節を保護しているが、左肩関節は、図１および図２に示される保護部５３，５４によって保護されている。そして、これら保護部５３，５４も、左肩関節の両側に設けられており、保護部５３，５４同士が互いに対して移動可能とされ、互いの先端部が重なるように設けられている。このため、保護部５３，５４は、左肩関節における装着者の動きを妨げることなく、左肩関節を保護している。
【００３７】
さらに、本実施の形態１においては、装着者の肩関節およびその近傍を保護する例について説明したが、これに限られず、たとえば、装着者の膝部分、肘部分や手首などの他の関節部を保護する場合にも適用することができる。また、本実施の形態１においては、関節部を介して配列する複数の骨部の配列方向に２つの保護部を配列した場合について説明したが、これに限られず、たとえば、３つ以上の保護部を配列して、互いに近接したり離れたり移動可能に設けてもよい。
【００３８】
他の保護部５５，５６，５７，５８においても、内部に衝撃吸収部材が挿入されており、外部からの衝撃に対して、腹部、脇腹および背中を保護している。
【００３９】
これら保護部５５，５６，５７，５８においても、袋部を規定し、他の衝撃吸収部材を挿入可能とすることで、練習時等における装着者の保護の向上を図ってもよい。
【００４０】
また、本実施の形態１においては、ラグビー用衣類に適用した例について説明したが、これに限られず、野球、アメリカンフットボール等の他のスポーツ用衣類にも適用することができる。
【００４１】
（実施の形態２）
図１０から図１２を用いて、本発明の実施の形態２に係るラグビー用衣類１０について説明する。なお、上記図１から図９に示された構成と同一または相当する構成については、同一の符号を付してその説明を省略する場合がある。
【００４２】
図１０は、本発明の実施の形態２に係るラグビー用衣類１０の正面図であり、図１１は、本発明の実施の形態２に係るラグビー用衣類１０の背面図である。さらに、図１２は、保護部の詳細を示す拡大図である。
【００４３】
これら、図１０から図１２に示す例においては、装着者の右肩関節およびその近傍には、保護部５１Ａ，５２Ａ，８１が設けられており、左肩関節およびその近傍には、保護部５３Ａ，５４Ａ，８２が設けられている。
【００４４】
図１２において、保護部５１Ａは、肩関節２０３を覆うように配置され、保護部５２Ａ，８１は、肩関節２０３の両側に設けられている。そして、保護部８１は、肩関節２０３を介して、鎖骨２０１や肩甲骨２０２に対して可動とされた上腕骨２０４を覆うように設けられている。保護部５２Ａは、肩関節２０３を介して、上腕骨２０４に対して可動に設けられた鎖骨２０１および肩甲骨２０２を覆うように設けられている。
【００４５】
このように、保護部５２Ａと保護部５１Ａと保護部８１は、鎖骨２０１側から肩関節２０２を通って、上腕骨２０４に到るように、各保護部５２Ａ，５１Ａ，８１が配列されている。つまり、本実施の形態２においても、各保護部５２Ａ，５１Ａ，８１は、肩関節２０３が接続する骨部の配列方向に配列している。
【００４６】
そして、保護部５１Ａの先端部６４Ａと、保護部５２Ａの先端部７１Ａとが肩関節２０３近傍上にて重なり合っている。
【００４７】
保護部８１は、上腕骨２０４の上端部から、三角筋３０１の下端部にまで達するように形成されている。保護部８１の保護部５１Ａ側の先端部９４は、肩関節２０３近傍で、保護部５１Ａの先端部６４Ｂと重なり合っている。
【００４８】
ここで、保護部５１Ａのうち、各保護部５２Ａ側および保護部８１側の縁部は、衣類本体２０に縫着されていない。これにより、保護部５１Ａは、衣類本体２０と協働して、穴部１００Ａを規定している。この穴部１００Ａの一方側から、保護部５２Ａの先端部７１Ａが挿入されており、他方側から保護部８１の先端部９４が挿入されている。
【００４９】
そして、装着者が腕を下げた状態および、挙げた状態のいずれの場合においても、保護部５２Ａの先端部７１Ａが穴部１００Ａ内に挿入され、さらに、保護部９１の先端部９４も穴部１００Ａ内に挿入されており、肩関節２０３およびその近傍を保護している。
【００５０】
ここで、保護部５２Ａは、上記先端部７１Ａと、この先端部７１Ａに対して保護部５１Ａと反対側に位置する基部７７Ａとを備えており、先端部７１Ａは、基部７７Ａよりも薄肉に形成されている。さらに、先端部７１Ａは、保護部５１Ａ側に向けて先細状に形成されている。このため、先端部７１Ａが穴部１００Ａ内に入り込み易く、装着者の肩関節の動作を妨げることが抑制されている。
【００５１】
保護部８１の先端部９４の厚みも薄く形成されており、さらに、保護部５１Ａのうち、保護部５１Ａ側の先端部も薄く形成されている。このため、保護部８１が穴部１００Ａ内に入り込む際に、保護部５１Ａと保護部８１同士が衝突することを抑制することができ、装着者の動作の妨げを抑制することができる。
【００５２】
ここで、保護部５１Ａは、先端部６４Ａ，６４Ｂと、先端部６４Ａと先端部６４Ｂとの間に位置する基部６４Ｃとを備え、先端部６４Ａ，６４Ｂは基部６４Ｃよりも薄肉に形成されている。さらに、保護部８１は、先端部９４と、この先端部９４に対して保護部５１Ａと反対側に位置する基部９７とを備え、先端部９４は基部９７よりも薄肉に形成されている。このため、先端部９４が穴部１００Ａ内に入り込むことで、上腕骨２０４から肩関節２０３までに亘って、偏りなく、略均等に保護することができる。さらに、先端部７１Ａが穴部１００Ａ内に入り込んだ状態において、肩関節２０３およびその近傍を覆う保護部の厚みが略均等なものとなり、肩関節２０３およびその近傍を均等に保護することができる。
【００５３】
このように、本実施２の形態に係るラグビー用衣類１０は、装着者が肩関節２０３を動作させたとしても、肩関節２０３を保護でいると共に、各保護部５１Ａ，５２Ａ，８１が装着者の動作を妨げることを抑制されている。なお、本実施の形態においても、各保護部５１Ａ，５２Ａ，８１内には、衝撃吸収部材が挿入されており、この衝撃吸収部材によって、保護部５１Ａ，５２Ａ，８１の厚みを調整している。
【００５４】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００５５】
本発明は、運動用衣類に適用でき、外部からの衝撃から装着者を保護する運動用衣類に好適である。
【図面の簡単な説明】
【００５６】
【図１】本発明の実施の形態１に係るラグビー用衣類の正面図である。
【図２】本発明の実施の形態１に係るラグビー用衣類の背面図である。
【図３】保護部の詳細を示す拡大図である。
【図４】装着者の肩関節およびその近傍における骨格を示す骨格図である。
【図５】装着者の肩関節近傍における筋肉を示す人体図である。
【図６】保護部の斜視図である。
【図７】図３に示す状態から装着者が腕を挙げたときの保護部の状態を示す拡大図である。
【図８】保護部の内部構造を示す平面図である。
【図９】保護部の内部構造を示す平面図である。
【図１０】本発明の実施の形態２に係るラグビー用衣類の正面図である。
【図１１】本発明の実施の形態２に係るラグビー用衣類の背面図である。
【図１２】保護部の詳細を示す拡大図である。
【符号の説明】
【００５７】
１０  ラグビー用衣類、２０  衣類本体、５０，５１，５２，５３，５４，５５，５６，５７，５８  保護部、６１，７１  先端部、１００  袋部、１５０  衝撃吸収部材、１５１  薄肉衝撃吸収部材、１５２  厚肉衝撃吸収部材、２０１  鎖骨、２０２  肩甲骨、２０３  肩関節、２０４  上腕骨、３０１  三角筋。
【図１】
2008308800.tif 000003
【図２】
2008308800.tif 000004
【図３】
2008308800.tif 000005
【図４】
2008308800.tif 000006
【図５】
2008308800.tif 000007
【図６】
2008308800.tif 000008
【図７】
2008308800.tif 000009
【図８】
2008308800.tif 000010
【図９】
2008308800.tif 000011
【図１０】
2008308800.tif 000012
【図１１】
2008308800.tif 000013
【図１２】
2008308800.tif 000014